(57)【要約】【課題】温度特性を有する光学部材を備える液晶表示装置の画質を高品位に保つ技術を提供する。【解決手段】赤、緑、青のカラーフィルターを有するＬＣＤパネル１１１と、その背面に対して赤、緑、青の光ビームを出射するＬＥＤ１２１Ｒ、ＬＥＤ１２１Ｇ、ＬＥＤ１２１Ｂとを備えた。また、ＬＣＤパネル１１１に照射される光ビームの光量を検出するＲＧＢ検出センサーと、装置の温度を検出する温度センサー１２２Ｔとを備えた。また、各ＬＥＤからＬＣＤパネル１１１の画像視認面までの光学特性および製造時における装置の温度を記憶したメモリーを備えた。また、ＲＧＢ検出センサー１２２Ｓからの各検出信号、メモリーに記憶された光学特性および製造時における装置の温度に基づいて、各ＬＥＤからの光ビームの光量を制御する回路部２０を備えた。【選択図】図４
2010002742.tif 000002
【特許請求の範囲】
【請求項１】
赤、緑、青のカラーフィルターを有する液晶パネルと、
前記液晶パネルの背面に対して赤、緑、青の光ビームを出射する各光源と、
前記液晶パネルの背面に照射される光ビームの赤、緑、青の各光量に応じた各検出信号を検出する光量検出センサーと、
装置の温度を検出する温度センサーと、
前記各光源から前記液晶パネルの画像視認面までの光学特性および所定条件下における装置の温度を記憶したメモリーと、
前記光量検出センサーからの前記各検出信号、前記メモリーに記憶された前記光学特性および前記所定条件下における装置の温度に基づいて、前記各光源からの光ビームの光量を制御する制御部と、を備える液晶表示装置。
【請求項２】
前記メモリーは、
前記光学特性として前記各光源から画像視認面までの、エックス、ワイ、ゼットの値および前記カラーフィルターのクロストーク量を記憶し、さらに、前記所定条件下における、前記各光源の駆動量を記憶し、
前記制御部は、
現時点における温度に応じて前記各光源を駆動するパルス信号のパルス幅を制御して前記各光源からの光ビームの光量を制御する、請求項１に記載の液晶表示装置。
【請求項３】
前記制御部は、
前記メモリーに形成されたテーブルを参照し、前記所定条件下における装置の温度および前記各光源の駆動量と現時点における温度とに応じて、前記各光源を制御する、請求項１に記載の液晶表示装置。
【請求項４】
前記制御部は、
前記液晶パネルの赤、緑、青の各透過率の温度変化を補正するために現在の温度の１次関数として近似される各補正係数を有し、前記所定条件下における前記各光源の駆動量に前記各補正係数を掛けて得られた信号によって前記各光源を駆動する、請求項１に記載の液晶表示装置。
【請求項５】
赤、緑、青のカラーフィルターを有する液晶パネルの背面に対して赤、緑、青の光ビームを出射するように各光源を配置し、
所定条件下における、前記各光源から前記液晶パネルの画像視認面までの光学特性および装置の温度をメモリーに記憶し、
前記液晶パネルの背面に照射される赤、緑、青の光ビームの各光量に応じた各検出信号を検出し、
装置の現在の温度を検出し、
前記各検出信号と、前記現在の温度と、前記メモリーに記憶された前記光学特性および前記所定条件下における装置の温度とに基づいて、前記各光源からの光ビームの光量を制御する、液晶表示装置の制御方法。
【発明の詳細な説明】
【技術分野】
【０００１】
本発明は、液晶表示装置および液晶表示装置の制御方法に関する。
【背景技術】
【０００２】
近年、液晶を用いた液晶表示装置が種々の産業分野において広範囲に用いられている。このような液晶表示装置では、シャッタ（液晶パネル）、フィルム類（拡散板）、導光板およびランプからなる光源を光学部材として備えている。また、液晶表示装置は回路部を備えている。回路部は、入力画像信号に応じてシャッタを制御するシャッタ制御回路部と光源を制御する光源制御回路とを有している（特許文献１を参照）。このような液晶表示装置を使用する場合には、上述した種々の光学部材の温度特性により、表示装置に表示される画像の色および輝度特性が変化することが知られている。
【０００３】
このような問題を解決するための技術が特許文献１に開示されている。特許文献１の技術では、シャッタの画像視認面側、すなわち、フィルム類（拡散板）、光源が配置される側とは反対側の面側、に検出センサーを設けて、この検出センサーからの検出信号に基づいて、ランプを制御している。
【特許文献１】特開２００２−１４９１３５号公報
【発明の開示】
【発明が解決しようとする課題】
【０００４】
しかしながら、特許文献１に記載の技術は以下の問題点を有していると考えられる。第１の問題点は、液晶パネルの画像を視認する側の面（画像視認面）と画像を目視する者との間に画像センサーを配置するという点である。この場合、画像視認面が検出センサーによって遮られてしまい、このような構成では、産業機器に採用することは困難である。そこで、センサーを内部に配置した場合を考えると、その問題点は、光学部材の温度特性の変化がそのまま画質の劣化を生じてしまう点である。シャッタ（液晶パネル）、フィルム類（拡散板）は、温度によって透過率が変化する。さらに、色クロストーク成分が存在し、光源から照射される光の色温度によっても、色クロストーク成分の量が変化する。さらに、光源自体が温度特性を有し、光源から出射される光の性質が温度に応じて変化する。つまり、このような特性を有する光学部材を備える液晶表示装置においては、任意の色度・輝度を設定し、維持しようとした場合、シャッタ（液晶パネル）を経て表示される画像の質（画質）を高品質に保つことは極めて困難である。
【０００５】
本発明は上述した課題に鑑み、検出センサーをシャッタ（液晶パネル）の画像視認面の反対側に配置しながらも、温度特性や色クロストークを有する光学部材を備える液晶表示装置の画質を高品位に設定し保つ技術を提供するものである。
【課題を解決するための手段】
【０００６】
本発明の液晶表示装置は、赤、緑、青のカラーフィルターを有する液晶パネルと、前記液晶パネルの背面に対して赤、緑、青の光ビームを出射する各光源と、前記液晶パネルの背面に照射される光ビームの赤、緑、青の各光量に応じた各検出信号を検出する光量検出センサーと、装置の温度を検出する温度センサーと、前記各光源から前記液晶パネルの画像視認面までの光学特性および所定条件下における装置の温度を記憶したメモリーと、前記光量検出センサーからの前記各検出信号、前記メモリーに記憶された前記光学特性および前記所定条件下における装置の温度に基づいて、前記各光源からの光ビームの光量を制御する制御部と、を備える。
【０００７】
本発明の液晶表示装置の制御方法は、赤、緑、青のカラーフィルターを有する液晶パネルの背面に対して赤、緑、青の光ビームを出射するように各光源を配置し、所定条件下における、前記各光源から前記液晶パネルの画像視認面までの光学特性および装置の温度をメモリーに記憶し、前記液晶パネルの背面に照射される赤、緑、青の光ビームの各光量に応じた各検出信号を検出し、装置の現在の温度を検出し、前記各検出信号と、前記現在の温度と、前記メモリーに記憶された前記光学特性および前記所定条件下における装置の温度とに基づいて、前記各光源からの光ビームの光量を制御する。
【０００８】
本発明の液晶表示装置に関する技術では、赤、緑、青のカラーフィルターを有する液晶パネルの背面に対して赤、緑、青の光ビームを出射するように各光源を配置する。所定条件下における、各光源から液晶パネルの画像視認面までの光学特性および装置の温度をメモリーに記憶する。液晶パネルの背面に照射される赤、緑、青の光ビームの各色の光量に応じた各検出信号を検出し、装置の現在の温度を検出する。そして、各検出信号と、現在の温度と、メモリーに記憶された光学特性および所定条件下における装置内部の温度とに基づいて、各光源からの光ビームの光量を制御して、光学部材の温度特性を補正することができる。
【発明の効果】
【０００９】
本発明の技術によれば、検出センサーを液晶パネルの画像視認面の反対側に配置するので、検出センサーが画像視認面技術を遮ることがない。また、温度特性を有する光学部材を備える液晶表示装置の画質を温度変化にかかわらず高品位に保つことができる。
【発明を実施するための最良の形態】
【００１０】
（実施形態の液晶表示装置の光学部）
図１は実施形態の液晶表示装置の光学部１０を模式的に示す図である。光学部１０は、液晶パネルアッシィ（ＬＣＤ（Liquid Crystal Display）パネルAssy）１１とバックライトアッシィ（バックライトAssy）１２とを有している。ＬＣＤパネルAssy１１は、矢印で示す方向に移動して、ＬＣＤパネルAssy１１とバックライトAssy１２とは結合されて、光学部１０を構成している。
【００１１】
図２は、図１に示す光学部１０の断面図を模式的に示す図である。図２（Ａ）に示すようにＬＣＤパネルAssy１１は、液晶パネル（ＬＣＤパネル）１１１と光学シート１１２とを有している。ＬＣＤパネル１１１は赤（Ｒ(Red)）、緑（Ｇ(Green)）、青（Ｂ(Blue)）の各色のカラーフィルターを有して形成されている。この各色のカラーフィルターを透過する各色の光の量は後述する回路部によって、各々調整されて、ＬＣＤパネル１１１の画像視認面に所望の画像が表示される。光学シート１１２は、輝度上昇フィルム（ＤＢＥＦ）、拡散シート、拡散板を有して形成されている。光学シート１１２のこのような構成は、液晶表示装置においては通常に用いられるものである。また、図２（Ａ）に示すようにバックライトAssy１２は、エルイーデーユニット（ＬＥＤ(Light Emitting Diode)ユニット）１２１と検出センサーユニット１２２とを有して形成されている。ＬＥＤユニット１２１の光学シート１１２と対する面には、赤、緑、青の各々の色の光ビームを出射する光源としての複数個のエルイーデー（ＬＥＤ）が配置されている。検出センサーユニット１２２には、光量検出センサーとして機能するＲＧＢ検出センサー１２２Ｓが配置されている。
【００１２】
図２（Ｂ）は、図２（Ａ）に示す光学部１０の一部を拡大して模式的に示す図である。図２（Ｂ）に示すように、ＬＣＤパネル１１１は、微小面積の赤（Ｒ）、緑（Ｇ）、青（Ｂ）の３種類のカラーフィルターが規則正しく均一に配置されている。ＬＥＤユニット１２１の光学シート１１２と対する面の表面には、赤（Ｒ）、緑（Ｇ）、青（Ｂ）の３種類の色を発光するＬＥＤが規則正しく均一に配置されている。検出センサーユニット１２２にはアールジービー検出センサー（ＲＧＢ検出センサー）１２２Ｓが配置されている。ＲＧＢ検出センサー１２２Ｓは、ＬＥＤユニット１２１に設けられた孔部からＬＣＤパネル１１１の背面（画像視認面の反対側の面）に照射される光の量（光量）を検出する。ＲＧＢ検出センサー１２２Ｓは、赤（Ｒ）、緑（Ｇ）、青（Ｂ）の３種類の色を別々に検出できるようになされている。また、検出センサーユニット１２２には温度センサー１２２Ｔ（図３を参照）が配されている。
【００１３】
図３は、ＲＧＢ検出センサー１２２Ｓと温度センサー１２２Ｔとが、どの様に配置されているかを示す図である。図３は、バックライトAssy１２の裏面側（ＬＣＤパネルAssy１１に対する面とは反対の面）から検出センサーユニット１２２を見た斜視図である。バックライトAssy１２は、この場合には３個の検出センサーユニット１２２を備えている。また、各々の検出センサーユニット１２２は、この場合には４個のＲＧＢ検出センサー１２２Ｓと、この場合には２個の温度センサー１２２Ｔとを有している。
【００１４】
（実施形態のＬＥＤの制御方法の原理）
このような光学部１０において、ＬＥＤユニット１２１に配置された赤のＬＥＤ１２１Ｒ、緑のＬＥＤ１２１Ｇ、青のＬＥＤ１２１Ｂの制御方法の原理について説明をする。
【００１５】
ここで、１個のＲＧＢ検出センサー１２２Ｓが光量を検出する範囲であるセンシング範囲（図２（Ｂ）の破線の中に含まれるＬＣＤパネル１１１の範囲）と、ＬＥＤユニット１２１に配置されたＬＥＤの制御される範囲との関係について説明をしておく。ＬＥＤユニット１２１に配置されたＬＥＤは、赤、緑、青を１セットとして複数個配置されているが、１個のＬＥＤが照射する液晶パネル１１１の範囲は狭い。そこで、複数の同色のＬＥＤを同時に駆動して、センシング範囲を広くしている。そして、予め、各々のＲＧＢ検出センサー１２２Ｓについて、液晶パネル１１１の背面の特定のセンシング範囲を照射する複数個のＬＥＤを特定している。このようにして、この特定のＲＧＢ検出センサー１２２Ｓからの検出信号に基づき、この特定の複数個のＬＥＤを同時に制御するようにしている。
【００１６】
表１は、ＣＩＥ１９３１に定めるエックス（Ｘ）、ワイ（Ｙ）、ゼット（Ｚ）の値と各色のＬＥＤの特性（光学特性である）。Ｘ、Ｙ、Ｚの値は、各色のＬＥＤ毎に異なる。ここで、取り扱いを簡便とするために、Ｘ、Ｙ、Ｚの値は光学シート１１２を通過した値（光学ユニット１１２の光学特性を含む値）とする。X_LED_Rは、赤のＬＥＤに対するＸの値、X_LED_Gは、緑のＬＥＤに対するＸの値、X_LED_Bは、青のＬＥＤに対するＸの値である。また、Y_LED_Rは、赤のＬＥＤに対するＹの値、Y_LED_Gは、緑のＬＥＤに対するＹの値、Y_LED_Bは、青のＬＥＤに対するＹの値である。また、Z_LED_Rは、赤のＬＥＤに対するＺの値、Z_LED_Gは、緑のＬＥＤに対するＺの値、Z_LED_Bは、青のＬＥＤに対するＺの値である。これらの特性は所定条件下で測定したものである。ここで、所定条件とは、時刻的な観点から見ると、液晶表示装置の製造時点を基準の時刻としている。実施形態では、液晶表示装置の製造時において、環境温度を所定温度に管理して、液晶表示装置を動作させて、装置内の温度が定常状態に達した時点における装置の動作条件を所定条件と称している。
【００１７】
【表１】
2010002742.tif 000003
【００１８】
表２は、ＬＣＤパネル１１１の各色の透過率（パネル透過率）をＸ、Ｙ、Ｚの値で示すものである。P_XRは、赤のカラーフィルターに対するＸの値、P_XGは、緑のカラーフィルターに対するＸの値、P_XBは、青のカラーフィルターに対するＸの値である。また、P_YRは、赤のカラーフィルターに対するＹの値、P_YGは、緑のカラーフィルターに対するＹの値、P_YBは、青のカラーフィルターに対するＹの値である。また、P_ZRは、赤のカラーフィルターに対するＺの値、P_ZGは、緑のカラーフィルターに対するＺの値、P_ZBは、青のカラーフィルターに対するＺの値である。ここで、カラーフィルターの透過率は、（パネルの出力側の光量）／（光学シートの出力側の光量）で表される。
【００１９】
【表２】
2010002742.tif 000004
【００２０】
表３は、各色のＬＥＤの特性、光学シート１１２の特性、ＬＣＤパネル１１１の各色の透過率、を含めた画像視認面におけるＸ、Ｙ、Ｚの値（光源から画像視認面までのＸ、Ｙ，Ｚの値）を示すものである。画像視認面におけるＸ，Ｙ、Ｚの特性は、各色のＬＥＤおよび光学シート１１２のＸ、Ｙ、Ｚの特性と各色のカラーフィルターの透過率の特性との積で表される。X_LRは赤のＬＥＤに対する画像視認面におけるＸの値、X_LGは緑のＬＥＤに対する画像視認面におけるＸの値、X_LBは青のＬＥＤに対する画像視認面におけるＸの値である。また、Y_LRは赤のＬＥＤに対する画像視認面におけるＹの値、Y_LGは緑のＬＥＤに対する画像視認面におけるＹの値、Y_LBは青のＬＥＤに対する画像視認面におけるＹの値である。また、Z_LRは赤のＬＥＤに対する画像視認面におけるＺの値、Z_LGは緑のＬＥＤに対する画像視認面におけるＺの値、Z_LBは青のＬＥＤに対する画像視認面におけるＺの値である。
【００２１】
【表３】
2010002742.tif 000005
【００２２】
また、表３に示す各値は、表１と表２から、式１−１〜式１−９で表される。
X_LR=X_LED_R*P_XR          （１−１）
X_LG=X_LED_G*P_XG          （１−２）
X_LB=X_LED_B*P_XB          （１−３）
Y_LR=Y_LED_R*P_YR          （１−４）
Y_LG=Y_LED_G*P_YG          （１−５）
Y_LB=Y_LED_B*P_YB          （１−６）
Z_LR=Z_LED_R*P_ZR          （１−７）
Z_LG=Z_LED_G*P_ZG          （１−８）
Z_LB=Z_LED_B*P_ZB          （１−９）
【００２３】
実施形態では、表３に示す各値を用いて制御をするようにしており、そのために、表３に示す各値（式１−１〜式１−９の値）をメモリー（第１メモリー）に記憶をしている。ここで、これらの値は、所定条件下の値である。また、メモリーには、表３に示した各値に加え、所定条件下における他の諸値を記憶させている。この他の諸値は以下の内容である。ＬＥＤの駆動量が第２メモリーに記憶されている。また、ＲＧＢ検出センサー１２２Ｓからの検出信号の値が第３メモリーに記憶されている。また、温度センサー１２２Ｔで検出する温度が第４メモリーに記憶されている。また、液晶表示装置に配された温度センサーが検知した液晶表示装置が配置されている室内の環境温度が第５メモリーに記憶されている。ＬＥＤの駆動量は、例えば、ＰＷＭ（Pulse Width Modulation）制御の場合にはＬＥＤを駆動するパルス信号のパルス幅であるが、駆動電流量としても良い。なお、上述した、第１メモリーは、光源から画像視認面までのＸ、Ｙ，Ｚメモリーと称される。また、第２メモリーは、ＬＥＤの駆動量メモリーと称される。また、第３メモリーは、ＲＧＢ検出センサーメモリーと称される。また、第４メモリーは、温度メモリーと称される。また、第５メモリーは、室温メモリーと称される。第１メモリー〜第５メモリーの各々は、後述する回路部２０（図４を参照）のロムとして形成され、ロムの所定領域に各々の内容が記憶されている。
【００２４】
また、表４〜表６は、所定条件下におけるＬＣＤパネル１１１のカラーフィルターのクロストークを示す表である。表４は、ＬＣＤパネル１１１のカラーフィルターのＸのクロストークを示す表である。これらの値を予め計測してメモリー（第６メモリー）に記憶しておく。xCGRは、赤のＬＥＤを発光させて緑のフィルターを透過するＸの値である。xCBRは、赤のＬＥＤを発光させて青のフィルターを透過するＸの値である。xCRGは、緑のＬＥＤを発光させて赤のフィルターを透過するＸの値である。xCBGは、緑のＬＥＤを発光させて青のフィルターを透過するＸの値である。xCRBは、青のＬＥＤを発光させて赤のフィルターを透過するＸの値である。xCGBは、青のＬＥＤを発光させて緑のフィルターを透過するＸの値である。なお、正規化は、（赤のＬＥＤを発光させて赤のフィルターを透過するＸの値）、（緑のＬＥＤを発光させて緑のフィルターを透過するＸの値）、（青のＬＥＤを発光させて青のフィルターを透過するＸの値）の各々を１とするようにしておこなう。
【００２５】
【表４】
2010002742.tif 000006
【００２６】
表５は、ＬＣＤパネル１１１のカラーフィルターのＹのクロストークを示す表である。これらの値を予め計測してメモリー（第７メモリー）に記憶しておく。yCGRは、赤のＬＥＤを発光させて緑のフィルターを透過するＹの値である。yCBRは、赤のＬＥＤを発光させて青のフィルターを透過するＹの値である。yCRGは、緑のＬＥＤを発光させて赤のフィルターを透過するＹの値である。yCBGは、緑のＬＥＤを発光させて青のフィルターを透過するＹの値である。yCRBは、青のＬＥＤを発光させて赤のフィルターを透過するＹの値である。yCGBは、青のＬＥＤを発光させて緑のフィルターを透過するＹの値である。なお、正規化は、（赤のＬＥＤを発光させて赤のフィルターを透過するＹの値）、（緑のＬＥＤを発光させて緑のフィルターを透過するＹの値）、（青のＬＥＤを発光させて青のフィルターを透過するＹの値）の各々を１とするようにしておこなう。
【００２７】
【表５】
2010002742.tif 000007
【００２８】
表６は、ＬＣＤパネル１１１のカラーフィルターのＺのクロストークを示す表である。これらの値を予め計測して、メモリー（第８メモリー）に記憶しておく。zCGRは、赤のＬＥＤを発光させて緑のフィルターを透過するＺの値である。zCBRは、赤のＬＥＤを発光させて青のフィルターを透過するＺの値である。zCRGは、緑のＬＥＤを発光させて赤のフィルターを透過するＺの値である。zCBGは、緑のＬＥＤを発光させて青のフィルターを透過するＺの値である。zCRBは、青のＬＥＤを発光させて赤のフィルターを透過するＺの値である。zCGBは、青のＬＥＤを発光させて緑のフィルターを透過するＺの値である。なお、正規化は、（赤のＬＥＤを発光させて赤のフィルターを透過するＺの値）、（緑のＬＥＤを発光させて緑のフィルターを透過するＺの値）、（青のＬＥＤを発光させて青のフィルターを透過するＺの値）の各々を１とするようにしておこなう。なお、上述した、第６メモリー〜第８メモリーは、クロストーク量メモリーと称され、後述する回路部２０（図４を参照）のロムとして形成されている。
【００２９】
【表６】
2010002742.tif 000008
【００３０】
次に、式１−１〜式１−３で示す、Y、x、y（輝度、色度）が与えられた場合において、望ましい赤色のＬＥＤの駆動量を駆動量ｒ、望ましい緑色のＬＥＤの駆動量を駆動量ｇ、望ましい青色のＬＥＤの駆動量を駆動量ｂ、としてこれらを求める。
【００３１】
Y=R_Y+G_Y+B_Y                （１−１）
x=W_X/(W_X+W_Y+W_Z)          （１−２）
y=W_Y/(W_X+W_Y+W_Z)          （１−３）
【００３２】
ここで、上述した、望ましい各色のＬＥＤの駆動量とは、液晶パネルが単色時の画像視認面におけるＸ、Ｙ、Ｚの値が白に対応する値であるW_X、W_Y、W_Zとなるような各色のＬＥＤの駆動量を言うものである。ここで、液晶パネルが単色時とは、各色の中の１色のカラーフィルターの透過率が１００％で、他の２色のカラーフィルターの透過率が０％の状態を言うものである。また、このときのW_X、W_Y、W_Zの各々は式２−１、式２−２、式２−３で表される。
【００３３】
W_X=R_X+G_X+B_X    （２−１）
W_Y=R_Y+G_Y+B_Y    （２−２）
W_Z=R_Z+G_Z+B_Z    （２−３）
【００３４】
また、式２−１、式２−２、式２−３の右辺は、以下の式３−１〜式３−9で表される。式３−１〜式３−9は、表３〜表６に基づき得られるものである。
R_X=r*X_LR+g*X_LG+xCGR+b*X_LB*xCBR          （３−１）
R_Y=r*Y_LR+g*Y_LG+yCGR+b*Y_LB*yCBR          （３−２）
R_Z=r*Z_LR+g*Z_LG+zCGR+b*Z_LB*zCBR          （３−３）
G_X=r*X_LR*xCRG+g*X_LG+b*X_LB*xCBG          （３−４）
G_Y=r*Y_LR*yCRG+g*Y_LG+b*Y_LB*yCBG          （３−５）
G_Z=r*Z_LR*zCRG+g*Z_LG+b*Z_LB*zCBG          （３−６）
B_X=r*X_LR*xCRB+g*X_LG*xCGB+b*X_LB          （３−７）
B_Y=r*Y_LR*yCRB+g*Y_LG*yCGB+b*Y_LB          （３−８）
B_Z=r*Z_LR*zCRB+g*Z_LG*zCGB+b*Z_LB          （３−９）
【００３５】
式３―１〜式３−９は、求める結果である、駆動量ｒ、駆動量ｇ、駆動量ｂを右辺に含む連立方程式である。これらの式から、駆動量ｒ、駆動量ｇ、駆動量ｂを得ることができる。計算の見通しを良くするために、変数x1、変数x2、変数x3、変数y1、変数y2、変数y3、変数A、変数Bを導入する。さらに、中間変数として、変数C11、変数C12、変数C13、変数C21、変数C22、変数C23、変数C31、変数C32、変数C33を導入する。また、変数YC1、変数YC2、変数YC3、変数XC1、変数XC2、変数XC3、変数XYZC1、変数XYZC2、変数XYZC3を導入する。
【００３６】
C11=1+xCRG+xCRB                  （４−１）
C12=xCGR+1+xCGB                  （４−２）
C13=xCBR+xCBG+1                  （４−３）
C21=1+yCRG+yCRB                  （４−４）
C22=yCGR+1+yCGB                  （４−５）
C23=yCBR+yCBG+1                  （４−６）
C31=1+zCRG+zCRB                  （４−７）
C32=zCGR+1+zCGB                  （４−８）
C33=zCBR+zCBG+1                  （４−９）
YC1=Y_LR*C21                      （５−１）
YC2=Y_LG*C22                      （５−２）
YC3=Y_LB*C23                      （５−３）
XC1=X_LR*C11                      （５−４）
XC2=X_LG*C12                      （５−５）
XC3=X_LB*C13                      （５−６）
XYZC1=X_LR*C11+Y_LR*C21+Z_LR*C31  （６−１）
XYZC2=X_LG*C12+Y_LG*C22+Z_LG*C32  （６−２）
XYZC3=X_LB*C13+Y_LB*C23+Z_LB*C33  （６−３）
x1=x*XYZC1-XC1                    （７−１）
x2=x*XYZC2-XC2                    （７−２）
x3=x*XYZC3-XC3                    （７−３）
y1=y*XYZC1-YC1                    （７−４）
y2=y*XYZC2-YC2                    （７−５）
y3=y*XYZC3-YC3                    （７−６）
A=YC1*x2-x1*YC2                   （８−１）
B=x1*YC3-x3*YC1                   （８−２）
【００３７】
そして、最終的に、A（式８−１）、B（式８−２）、x1〜x3（式７−１〜式７−３）、y1〜y3（式７−３〜式７−６）を用いて、望ましい、駆動量ｒ、駆動量ｇ、駆動量ｂを式９−１、式９−２、式９−３で示すようにして求めることができる。
【００３８】
r=(-1)*(g*x2+b*x3)/x1                                     （９−１）
g=b*(x1*y3-x3*y1)/(x3*y1-x1*y2)                           （９−２）
b=x1*Y*(x2*y1-x1*y2)/(B*(x2*y1-x1*y2)-A*(x1*y3-x3*y1))    （９−３）
【００３９】
次に、式９−１、式９−２、式９−３で示す駆動量ｒ、駆動量ｇ、駆動量ｂの各々に対して温度補正をおこなう。温度補正は、ＬＣＤパネル１１１の各色のカラーフィルターの透過率の温度による特性変化をキャンセルするための補正と、各色のＬＥＤの温度による特性変化をキャンセルするための補正とを実施形態では採用している。以下に順に温度補正について説明をする。
【００４０】
ＬＣＤパネル１１１の温度補正の原理について簡単に説明をする。ＬＣＤパネル１１１の各色の透過率の温度による特性変化をキャンセルするための補正係数を求める。この補正係数は、メモリーに記憶されている製造時における温度と、温度センサー１２２Ｔから検出される現在の温度とに基づき、予めメモリーに配されているテーブルを参照して得ることができる。このテーブルは、液晶表示装置の温度を、実験によって種々に変化させて、そのときの、カラーフィルターの透過率の温度による特性変化を採取して、予め、温度毎の補正係数r_pt、補正係数g_pt、補正係数b_ptをテーブルとしたものである。
【００４１】
このようなテーブルを参照して、ＬＣＤパネル１１１の赤の透過率の温度変化をキャンセルするための補正係数r_ptを得ることができる。また、ＬＣＤパネル１１１の緑の透過率の温度変化をキャンセルするための補正係数g_ptを得ることができる。また、ＬＣＤパネル１１１の青の透過率の温度変化をキャンセルするための補正係数b_ptを得ることができる。この補正係数は、ＬＥＤを駆動するＰＷＭパルス信号の適切なる幅をどのように補正すべきかを示す情報である。
【００４２】
各色のＬＥＤの温度補正の原理について簡単に説明をする。各色のＬＥＤの温度による特性変化をキャンセルするための補正係数を求める。この補正係数は、メモリーに記憶されている製造時における温度と、温度センサー１２２Ｔから検出される現在の温度とに基づき、予めメモリーに配されているテーブルを参照して得ることができる。このテーブルは、液晶表示装置の温度を、種々に変化させて、そのときの、ＬＥＤの温度による特性変化を採取して、予め、補正係数をテーブルとしたものである。そして、このようなテーブルを参照して、赤のＬＥＤの温度変化をキャンセルするための補正係数r_ltを得ることができる。また、緑のＬＥＤの温度変化をキャンセルするための補正係数g_ltを得ることができる。また、青のＬＥＤの温度変化をキャンセルするための補正係数b_ltを得ることができる。
【００４３】
ここで、各色の透過率の温度特性は、赤色、緑色、青色の各々について、その色毎に特性が異なり、また、その透過する波長の特性も温度毎に異なるものである。また、ＬＥＤの温度による特性変化についても同様である。したがって、このような補正をしない場合には、製造時と温度が異なる場合には、画質が低下することとなる。一方、このような補正の採用によって画質の低下を防止することができる。
【００４４】
式１０−１、式１０−２、式１０−３の各々は、補正係数r_pt、補正係数g_pt、補正係数b_pt、補正係数r_lt、補正係数g_lt、補正係数b_ltを用いて温度補正をおこなった後の駆動量ｒ’、駆動量ｇ’、駆動量ｂ’の各々を示す式である。
【００４５】
r’=r*r_pt*r_lt                    （１０−１）
g’=g*g_pt*g_lt                    （１０−２）
b’=b*b_pt*b_lt                    （１０−３）
【００４６】
式１０−１〜式１０−３で示す、駆動量ｒ’によって赤のＬＥＤを駆動し、駆動量ｇ’によって緑のＬＥＤを駆動し、駆動量ｂ’によって青のＬＥＤを駆動する。これによって、製造時における温度センサー１２２Ｔから得られる温度と異なる温度で動作する場合においても、極めて良好なる画質が維持できることとなる。ここで、実施形態ではＬＥＤはＰＷＭ信号で駆動されているので、駆動量はＬＥＤを駆動するＰＷＭ信号（パルス信号）のパルス幅とされている。
【００４７】
上述した温度補正の方式としては、メモリーにテーブルとされて記憶されている補正係数によって、駆動量の補正をおこなう方式としたが、以下に述べるように、テーブルを用いることなく、演算によって補正係数を求めるようにしても良い。
【００４８】
まず、演算によって、ＬＣＤパネル１１１のカラーフィルターの温度補正をおこなう方法について説明をする。赤のカラーフィルターの低温(第１温度)の透過率をP_R_L、赤のカラーフィルターの高温（第２温度）の透過率をP_R_Hとする。また、緑のカラーフィルターの低温の透過率をP_G_L、緑のカラーフィルターの高温の透過率をP_G_Hとする。また、青のカラーフィルターの低温の透過率をP_B_L、青のカラーフィルターの高温の透過率をP_B_Hとする。
【００４９】
低温の温度(第１温度)をT_Lとし、高温の温度(第２温度)をT_Hとし、製造工場での製造時（調整時）の温度センサー１２２Ｔから検出する温度（ＬＣＤパネルのパネル温度とみなす）をTCとする。また、現時点における温度センサー１２２Ｔから検出する温度をTNとする。また、工場調整完了時の、赤の透過率をPC_R、緑の透過率をPC_G、青の透過率をPC_Bとする。現時点での、赤の透過率をPN_R、緑の透過率をPN_G、青の透過率をPN_Bとする。
【００５０】
赤のカラーフィルターの透過率の温度特性を式１１−１で示す１次式で近似し、緑のカラーフィルターの透過率の温度特性を式１１−２で示す１次式で近似し、青のカラーフィルターの透過率の温度特性を式１１−３で示す１次式で近似する。ここで、ｘは温度であり、ｙは、各色の透過率である。
【００５１】
y=a*x+b                              （１１−１）
y=c*x+d                              （１１−１）
y=e*x+f                              （１１−１）
【００５２】
赤のカラーフィルターについて、a、bを式１２−１、式１２−２で求めて、さらに、式１２−３、式１２−４を得る。
【００５３】
a=(P_R_L-P_R_H)/(T_L-T_H)         （１２−１）
b=P_R_L-a*T_L                     （１２−２）
PC_R=a*TC+b                       （１２−３）
PN_R=a*TN+b                       （１２−４）
【００５４】
緑のカラーフィルターについて、ｃ、ｄを式１２−５、式１２−６で求めて、さらに、式１２−７、式１２−８を得る。
【００５５】
c=(P_G_L-P_G_H)/(T_L-T_H)         （１２−５）
d=P_G_L-c*T_L                     （１２−６）
PC_G=c*TC+d                       （１２−７）
PN_R=c*TN+d                       （１２−８）
【００５６】
青のカラーフィルターについて、ｅ、ｆを式１２−９、式１２−１０で求めて、さらに、式１２−１１、式１２−１２を得る。
【００５７】
e=(P_B_L-P_B_H)/(T_L-T_H)         （１２−９）
f=P_B_L-e*T_L                     （１２−１０）
PC_B=e*TC+f                       （１２−１１）
PN_B=e*TN+f                       （１２−１２）
【００５８】
そして、最終的に、補正係数r_pt、補正係数g_pt、補正係数b_ptを式１３−１〜式１３−３で求めることができる。
【００５９】
r_pt=PC_R/PN_R                       （１３−１）
g_pt=PC_G/PN_G                       （１３−２）
b_pt=PC_B/PN_B                       （１３−３）
【００６０】
このようにすれば、中央演算装置における演算によって、補正係数r_pt、補正係数g_pt、補正係数b_ptを得ることができる。上述したようなメモリーに配されたテーブルを用いる場合に較べて、１次近似を用いているので少し精度が低下するものの、メモリーを用いることなく演算のみによって適切なる補正量を得ることができる。
【００６１】
次に、演算によって、ＬＥＤの温度補正をおこなう方法について説明をする。赤のＬＥＤの補正ゲインをCG_Rとする。また、緑のＬＥＤの補正ゲインをCG_Gとする。また、青のＬＥＤの補正ゲインをCG_Bとする。製造工場での製造時（調整時）の温度センサー１２２Ｔから検出する温度（ＬＥＤの温度とみなす）をTaとし、現時点における温度センサー１２２Ｔから検出する温度をTnとする。
【００６２】
補正係数r_lt、補正係数g_lt、補正係数b_ltの各々は、式１４−１〜式１４−３で求められる。ここで、各色のＬＥＤに対する補正ゲインは３０°Ｃあたりの補正定数である。なお、式１４−１〜式１４−３は実験によって求めた補正量算出式である。
【００６３】
r_lt={1000-(1000-CG_R)*(Tn-Ta)}/1000       （１４−１）
g_lt={1000-(1000-CG_G)*(Tn-Ta)}/1000       （１４−２）
b_lt={1000-(1000-CG_B)*(Tn-Ta)}/1000       （１４−３）
【００６４】
（実施例）
上述した制御原理を、具体的に数値を代入した実施例によって示す。実施例では、まず、ホストマイコン４０からのY、x、y（輝度、彩度）の変更の指令に対してどのように制御がなされるかについて、数値を代入して示す。次に、ＬＣＤパネルの温度補正の実施例について、数値を代入して示し、さらに、ＬＥＤの温度補正の実施例について、数値を代入して示す。
【００６５】
表７は、表３に数値を代入したものである。
【００６６】
【表７】
2010002742.tif 000009
【００６７】
表８は、表４、表５、表６に数値を代入したものである。表８では、３つの表を１枚にして表している。
【００６８】
【表８】
2010002742.tif 000010
【００６９】
表９は、調整時において得られた、Y（輝度）とx、y（色度）とを表している。Y（輝度）の値は、２０３．２であり、x（色度）の値は０．２８２４であり、y（色度）の値は０．２９７３である。
【００７０】
【表９】
2010002742.tif 000011
【００７１】
ここで、Y（輝度）の値を２００に変更し、x（色度）の値を０．３４５に変更し、y（色度）の値を０．３５１に変更する場合にどのように、駆動量ｒ、駆動量ｇ、駆動量ｂを設定するかを求める。
【００７２】
表１０は、式４−１〜式４−９の数値を示すものである。
【００７３】
【表１０】
2010002742.tif 000012
【００７４】
表１１は、式５−１〜式５−６の数値を示すものである。
【００７５】
【表１１】
2010002742.tif 000013
【００７６】
表１２は、式６−１〜式６−３の数値を示すものである。
【００７７】
【表１２】
2010002742.tif 000014
【００７８】
表１３は、式７−１〜式７−６の数値を示すものである。
【００７９】
【表１３】
2010002742.tif 000015
【００８０】
表１４は、式８−１〜式８−２の数値を示すものである。
【００８１】
【表１４】
2010002742.tif 000016
【００８２】
表１５は、式９−１、式９−２、式９−３から求めた、駆動量ｒ、駆動量ｇ、駆動量ｂを表にして示すものである。
【００８３】
【表１５】
2010002742.tif 000017
【００８４】
次に、ＬＣＤパネルの温度補正の実施例について示す。
【００８５】
表１６は、上述した、透過率P_R_L（低温における赤の透過率）、透過率をP_R_H（高温における赤の透過率）、透過率P_G_L（低温における緑の透過率）透過率P_G_H（高温における緑の透過率）の値を表にして示す。また、透過率P_B_L（低温における青の透過率）、透過率をP_B_H（高温における青の透過率）の各々のＬＣＤパネルの透過率の値を表にして示すものである。
【００８６】
【表１６】
2010002742.tif 000018
【００８７】
表１７は、上述した、低温の温度T_L、高温の温度T_Hを示すものである。また、表１９は、上述した、製造時（調整時）の温度センサー１２２Ｔから検出する値TC、現時点における温度センサー１２２Ｔから検出する値TNを示すものである。なお、表１７では、温度T_L、温度T_Hの値は、実際の温度の１０倍としている。また、値TC、値TNの値を１０で割ると温度が得られる。
【００８８】
【表１７】
2010002742.tif 000019
【００８９】
【表１８】
2010002742.tif 000020
【００９０】
表１９は、式１２−１、式１２−２、式１２−５、式１２−６、式１２−９、式１２−１０の各々で計算される、ａ、ｂ、ｃ、ｄ、ｅ、ｆの各々の値を表で示すものである。
【００９１】
【表１９】
2010002742.tif 000021
【００９２】
表２０は、式１２−３、式１２−４、式１２−７、式１２−８、式１２−１１、式１２−１２の各々で計算される、各々の値を表で示すものである。
【００９３】
【表２０】
2010002742.tif 000022
【００９４】
表２１は、式１３−１、式１３−２、式１３−３の各々で計算される、各々の補正係数r_pt（PC_R/PN_R）、補正係数g_pt（PC_G/PN_G）、補正係数b_pt（PC_B/PN_B）の値を表で示すものである。
【００９５】
【表２１】
2010002742.tif 000023
【００９６】
次に、ＬＥＤの温度補正の実施例について示す。
【００９７】
表２２は、製造時（調整時）の温度センサー１２２Ｔから検出する温度Ta、現時点における温度センサー１２２Ｔから検出する温度Tnを示すものである。また、表２３は、赤のＬＥＤの補正ゲインCG_R、緑のＬＥＤの補正ゲインCG_G、青のＬＥＤの補正ゲインCG_Bを示すものである。
【００９８】
【表２２】
2010002742.tif 000024
【００９９】
【表２３】
2010002742.tif 000025
【０１００】
表２４は、補正係数r_lt、補正係数g_lt、補正係数b_ltの各々を示すものである。
【０１０１】
【表２４】
2010002742.tif 000026
【０１０２】
（実施形態の液晶表示装置の回路部）
図４は実施形態の液晶表示装置の回路部２０と回路部２０と関係する光学部である、検出センサーユニット１２２と液晶表示装置に取り付けられた室温を検出する室温センサー１３０とを示す図である。回路部２０は、マイコン（マイクロコンピュータ）２１とＬＥＤドライバー２２を有し、ＬＥＤを制御する制御部としての機能を有している。マイコン２１は、図示しない、中央演算装置（ＣＰＵ）、メモリー、入出力インターフェイスを有している。メモリーは、ラム（ＲＡＭ）とロム（ＲＯＭ）とから成り、ロムには、中央演算装置でおこなう処理の手順が記憶されている。回路部２０は、ホストマイコン４０と接続されている。また、液晶表示装置は、ＬＣＤパネル１１１を制御するためのＬＣＤパネル駆動部３０を有している。例えば、ホストマイコン４０から、動画のデータまたは静止画のデータが、ＬＣＤパネル駆動部３０に送られて、画像のデータに応じて、ＬＣＤパネル１１１の画像視認面に画像が表示される。
【０１０３】
ロムの一部は、再書き込み可能とされ、かつ、電源の供給が断たれても記憶されたデータが保持可能とされる不揮発性メモリーとされている。この不揮発性メモリーに、上述した、画像視認面におけるＸ、Ｙ、Ｚの値である、X_LR、X_LG、X_LB、Y_LR、Y_LG、Y_LB、Z_LR、Z_LG、Z_LBが記憶されている。また、この不揮発性メモリーに、上述した、補正係数r_pt、補正係数g_pt、補正係数b_pt、補正係数r_lt、補正係数g_lt、補正係数b_ltが記憶されている。さらに、製造時における、ＬＥＤの駆動量（パルス幅）、ＲＧＢ検出センサー１２２Ｓからの検出信号の値、温度センサー１２２Ｔで検出する温度も記憶されている。また、表８に示したクロストーク量（係数）も記憶されている。
【０１０４】
また、上述した式１１〜式１３に基づく演算によって、ＬＣＤパネルの温度補正をおこなう場合には、ａ、ｂ、ｃ、ｄ、ｅ、ｆの値、製造時の温度センサー１２２Ｔで検出する温度TCの値が不揮発性メモリーに記憶されている。また、上述した式１４に基づく演算によって、ＬＥＤの温度補正をおこなう場合には、補正ゲインCG_R、補正ゲインCG_G、補正ゲインCG_B、および、製造時の温度センサー１２２Ｔから検出する温度Taの値が不揮発性メモリーに記憶されている。
【０１０５】
マイコン２１の中央演算装置は、入出力インターフェイスを介して、検出センサーユニット１２２の、光源であるＬＥＤの近傍に配された複数個の温度センサー１２２Ｔからの検出信号を取り込む。また、中央演算装置は、入出力インターフェイスを介して、複数個のＲＧＢ検出センサー１２２Ｓからの検出信号を取り込む。また、中央演算装置は、入出力インターフェイスを介して、室温を検出する室温センサー１３０からの検出信号を取り込む。また、マイコン２１の中央演算装置は、入出力インターフェイスを介して、ＬＥＤドライバー２２に、駆動量ｒ’、駆動量ｇ’、駆動量ｂ’の応じた大きさの信号を供給する。ＬＥＤドライバー２２は、検出センサーユニット１２２の赤のＬＥＤ１２１Ｒ、緑のＬＥＤ１２１Ｇ、青のＬＥＤ１２１Ｂを駆動する。また、マイコン２１の中央演算装置は、入出力インターフェイスを介して、ホストマイコン４０からの指令によって動作する。ホストマイコン４０は液晶表示装置の全体を制御する機能を有しており、液晶表示装置の他の部分の動作との調和を図りながら、マイコン２１の中央演算装置を制御する。
【０１０６】
ここで、上述したように、ＬＥＤはグループ毎に分割して制御される。すなわち、上述したようにして、ＲＧＢ検出センサー１２２Ｓと温度センサー１２２Ｔとは、ＬＥＤのグループ毎に設けられている。特定のＬＥＤのグループは、このＬＥＤのグループが照射する範囲の光量を検出する１個の特定のＲＧＢ検出センサー１２２Ｓと、このＬＥＤのグループの温度を検出する１個の特定の温度センサー１２２Ｔによって制御される。これによって、ＬＥＤの駆動量はグループ毎に制御される。また、上述したように、ＲＧＢ検出センサー１２２Ｓでは、赤、緑、青の各色を独立に検出できるようにされているので、同一グループ内の、赤のＬＥＤ１２１Ｒと緑のＬＥＤ１２１Ｇと青のＬＥＤ１２１Ｂとは各々が独立して制御される。制御は、上述した制御原理に基づいておこなわれる。
【０１０７】
図５は、具体的な制御の動作を説明するため中央演算装置でおこなわれる機能を説明するための図である。勿論、図４に示すような中央演算装置に替えて、図５に示すハードウエアを用いて、同様な制御を実現できることは言うまでもない。図５では、赤、緑、青の各々について同一の回路が３系統設けられているが、そのうちの１系統を代表して示している。また、図５に示すハードウエアは、同時に制御されるＬＥＤのグループの１つを代表して示している。したがって、液晶表示装置の全体としては、図５に示すような回路が、ＬＥＤのグループ数の３倍の数設けられている。
【０１０８】
図５を参照して、制御部として機能する回路部２０ａでおこなわれる処理について説明をする。回路部２０ａでおこなわれる処理は、上述した制御原理を応用したものである。つまり、色度・輝度設定の処理と、ＲＧＢ検出センサー１２２Ｓによるフィードバックの処理と、室温センサー１３０と、温度センサー１２２Ｔによる目標値（Target Sensor値）の補正の処理とを組み合わせたものである。回路部２０ａは、ＬＥＤドライバー２２、カラーテーブル２０１、ＷＢ計算部２０２、第１演算部２０３、第２演算部２０４を有している。
【０１０９】
カラーテーブル２０１は、温度テーブル（TEMPテーブル）２０１ａを有している。また、表８に示したクロストーク量（係数）とエックス・ワイ・ゼットとのテーブルを含むテーブル（Ｘ、Ｙ、Ｚテーブル）２０１ｂを有している。また、ターゲットセンサーテーブル（Target Sensorテーブル）２０１ｃを有している。また、ピー・ダブリュウ・エム・テーブル（ＰＷＭテーブル）２０１ｄを有している。マイコン２１を用いる場合にはカラーテーブル２０１はメモリーとして構成されている。
【０１１０】
まず、色度・輝度設定の処理について説明をする。ホストマイコン４０は、輝度、色度をどのように設定するかの指令を回路部２０ａに対して送出する。ホストマイコン４０からの指令には、設定すべきY、x、yの値、つまり、輝度と彩度とが含まれている。
【０１１１】
そしてY（輝度）とx、y（色度）とを任意に与え、Ｘ、Ｙ、Ｚテーブル２０１ｂからの値を得て、ＷＢ計算部２０２で計算した出力（図５の信号Ａ）とＰＷＭテーブル２０１ｄからの値（図５の信号Ｂ）との積（図５の信号Ｃ）を得る。このようにして、望ましい、駆動量ｒ、駆動量ｇ、駆動量ｂの値（図５の信号Ｃ）を得ることができる。ここで、ＰＷＭテーブル２０１ｄからの値（図５の信号Ｂ）は、液晶表示装置の製造時においてメモリーに記憶された、各々のＬＥＤを駆動する駆動信号のパルス幅である。
【０１１２】
次に、ＲＧＢ検出センサー１２２Ｓによるフィードバックの処理について説明をする。ターゲットセンサーテーブル２０１ｃには、望ましい、ＲＧＢ検出センサー１２２Ｓからの検出信号の値が記憶されている。ＲＧＢ検出センサー１２２Ｓからの検出信号（図５の信号Ｄ）は、第２演算部２０４に入力される。第２演算部２０４には、ターゲットセンサーテーブル２０１ｃからの信号と信号Ａとの積の信号（図５の信号Ｅ）が印加されている。第２演算部２０４では、両者の差分を検出して出力する（図５の信号Ｆ）。そして、信号Ｅと信号Ｆとの積（図５の信号Ｇ）をＬＥＤドライバー２２に供給する。ここで、ＲＧＢ検出センサー１２２Ｓからの検出信号（図５の信号Ｄ）は、時間と共に刻々変化するので、信号Ｅと信号Ｆとの積である信号Ｇも刻々変化して、適切なるフィードバックループが形成される。
【０１１３】
次に、温度センサーによる目標値（Target Sensor値）の補正の処理について説明をする。温度センサーは室温センサー（ＲＯＯＭセンサー）１３０と温度センサー（ＬＳセンサー）１２２Ｔからなっている。ＬＣＤパネル１１１の温度としては、上述したように、温度センサー１２２Ｔで検出することができる。しかしながら、より正確には、ＬＣＤパネル１１１では、画像視認面の環境温度は、室温の温度であり、画像視認面の反対側の面の温度は、液晶表示装置の内部温度である。よって、実施形態では、ＬＣＤパネル１１１の温度を２つの温度センサーを用いることによって推測してより正確な温度を検出している。推測の手法は種々考えられるが、例えば、室温センサー１３０で得られる温度と温度センサー１２２Ｔで得られる温度との１次関数（近似式）で求める。
【０１１４】
温度テーブル２０１ａに記憶されている、製造時における、室温（環境温度）と温度センサー１２２Ｔで得られた温度とを演算して、製造時におけるＬＣＤパネル１１１の温度として、この平均温度を第１演算部２０３に入力する。また、現時点で、室温センサー１３０で得られる温度と温度センサー１２２Ｔで得られる温度とを演算して第１演算部２０３に入力する。そして、両者の差分を得た後に、ターゲットセンサーテーブル２０１ｃから得られた目標のセンサー値を積算して信号Ｅを得る。ここで、室温センサー１３０で得られる温度と温度センサー１２２Ｔで得られる温度とは、時間と共に刻々変化するので、信号Ｅによって、ＬＣＤパネル１１１の温度特性の補正が刻々おこなわれる。
【０１１５】
上述した実施形態の技術によれば、環境温度の変化、装置の自己発熱による温度変化によって光学部の特性（光学特性）が変化しても、これにかかわらず、適切なる色間のクロストークを加味した色度・輝度の設定維持が可能となる。また、液晶表示装置のユーザ（使用者）が、例えば、ホストマイコン等を介して、または、液晶表示装置に設けられた調整機能を介して、ホワイトバランス、コントラストを調整するに際して、高精度に連続的に調整することができる。
【図面の簡単な説明】
【０１１６】
【図１】実施形態の液晶表示装置の光学部を模式的に示す図である。
【図２】図１に示す光学部の断面図を模式的に示す図である。
【図３】ＲＧＢ検出センサーと温度センサーとがどの様に配置されているかを示す図である。
【図４】液晶表示装置の回路部と関連する光学部とを示す図である。
【図５】中央演算装置でおこなわれる機能を説明するための図である。
【符号の説明】
【０１１７】
１０  光学部、  １１  パネルAssy、  １２  バックライトAssy、  ２０、２０ａ  回路部、２１  マイコン、  ２２  ＬＥＤドライバー、  ３０  パネル駆動部、  ４０  ホストマイコン、  １１１  液晶（ＬＣＤ）パネル、  １１２  光学シート、  １２１  ＬＥＤユニット、  １２２Ｔ  温度センサー、  １２２Ｓ  ＲＧＢ検出センサー、  １３０  室温センサー、  ２０１  カラーテーブル、  ２０１ａ  温度テーブル、  ２０１ｂ  Ｘ、Ｙ、Ｚテーブル、  ２０１ｃ  ターゲットセンサーテーブル、  ２０１ｄ  テーブル、  ２０２  ＷＢ計算部、  ２０３、２０４  演算部
【図１】
2010002742.tif 000027
【図２】
2010002742.tif 000028
【図３】
2010002742.tif 000029
【図４】
2010002742.tif 000030
【図５】
2010002742.tif 000031